(57)【要約】【課題】多層式ランプ構造の提供。【解決手段】本考案の構造は、ランプ殻体に導熱構造体を設置し、導熱構造は導熱ベースからなり、一体鋳造成形で、ランプの発光素子が導熱構造体に固設され、発光素子の熱量は導熱構造体への接触により伝導し、ランプ殻体は大面積の散熱構造を有し、且つ、殻体内、外は発光素子の電力の大きさにより、多層カバーを増加して各種規格のランプと造型結合し、熱量が多層カバー表面積から空気対流により、大量の熱量を対流伝導させて、散熱効率を向上させる。本考案のランプ構造により、公知のランプの熱伝導と散熱能力を改善し、各種規格のランプに応用でき、特に、道路照明、商業照明、室内照明、及び、景観照明等に応用でき、各種ランプの散熱功能を向上させて、ランプの効率を向上し、発光素子を保護する効果を達成する。【選択図】    図２
0003133852.tif 000002
【実用新案登録請求の範囲】
【請求項１】
多層式ランプ構造であって、主に、発光素子、導熱構造体、ランプ殻体からなり、その特徴は、前記ランプ殻体は前記導熱構造体を設置し、前記ランプの発光素子が前記導熱構造体に固設され、前記発光素子の熱量は前記導熱構造体への接触により伝導し、前記ランプ殻体は大面積の散熱構造を有し、且つ、前記殻体内、外は発光素子の電力の大きさにより、多層カバーを増加して各種規格のランプと造型結合し、熱量が前記多層カバー表面積から空気対流により、大量の熱量を対流伝導させて、散熱効率を向上させることを特徴とする多層式ランプ構造。
【請求項２】
前記導熱構造体は導熱ベースからなり、一体鋳造成形であることを特徴とする請求項１に記載の多層式ランプ構造。
【請求項３】
前記多層カバーは一般の散熱材質からなるか、アルミ薄片であることを特徴とする請求項１に記載の多層式ランプ構造。
【請求項４】
前記多層カバーは少なくとも一つの連接部を有し、前記連接部により散熱材質、或いは、アルミ薄片が多層鎖固することを特徴とする請求項１に記載の多層式ランプ構造。
【請求項５】
前記多層カバーは少なくとも一つの散熱槽を設置し、前記散熱槽は熱伝導対流原則に符合して設置され、効果的な熱対流散熱を提供することを特徴とする請求項１に記載の多層式ランプ構造。
【請求項６】
前記多層カバーは、各種規格ランプへの応用を可能にし、特に、道路照明、商業照明、室内照明、及び、景観照明等、各種照明設備に適用し、ランプの効率を向上させ、発光素子を保護する効果を達成し、公知の散熱鰭片のランプ外観の変化やランプ設計における制限を改善することを特徴とする請求項１に記載の多層式ランプ構造。
【考案の詳細な説明】
【技術分野】
【０００１】
本考案は多層式ランプ構造に関するものであって、ランプ殻体に導熱構造体を設置し、ランプの発光素子が導熱構造体に固設され、発光素子の熱量は導熱構造体への接触により伝導し、ランプ殻体は大面積の散熱構造を有し、且つ、殻体内、外は発光素子の電力の大きさにより、多層カバーを増加してランプと結合し、散熱面積と効率を拡大する多層式ランプ構造に関するものである。
【背景技術】
【０００２】
公知のランプ構造の散熱はランプの外形上、鰭片状の外形に設計して散熱面積を増加している。このような設計は一般の街灯に用いられる場合、鳥が巣を作ったり、塵が堆積して散熱効果が大幅に低下し、規定に符合しない。また、散熱対流は空気の自然対流を採用するので、街灯の表面の鰭片状隙間が空気を積集し、対流が容易でなく、抵抗も増加するので、散熱効率が悪いだけでなく、造型美観にも影響する。
【０００３】
また、このような設計をランプ構造上に加設すると、消費者はコストの負担だけでなく、鰭片状散熱器の製造過程で、アルミ二ウム押し出し、或いは、打ち抜き製造を採用し、鰭片の尺寸厚さは固有の形態があり、各種造型のランプに適用できず、鰭片状の散熱器の尺寸に変更する必要があり、つまり、新しい金型が必要であるので、経済的でない。また、加設する散熱器もランプ重量を増加する問題が存在し、コストも大幅に増加する。
【０００４】
よって、元の設計であるランプ外観を損なわずに、各種規格のランプ造型に応用でき、散熱表面積を増加し、製造コストを減少させる構造が必要である。
【考案の開示】
【考案が解決しようとする課題】
【０００５】
本考案の目的は、多層式ランプ構造を提供し、多層マスクを増加してランプと結合し、散熱面積と効率を拡大し、ランプ全体の外観に影響させず、製造コストを減少させることを目的とする。
【課題を解決するための手段】
【０００６】
上述の目的を達成するため、本考案のランプ構造は、ランプ殻体に導熱構造体を設置し、導熱構造は導熱ベースからなり、一体鋳造成形で、ランプの発光素子が導熱構造体に固設され、発光素子の熱量は導熱構造体への接触により伝導し、ランプ殻体は大面積の散熱構造を有し、且つ、殻体内、外は発光素子の電力の大きさにより、多層カバーを増加して各種規格のランプと造型結合し、熱量が多層カバー表面積から空気対流により、大量の熱量を対流伝導させて、散熱効率を向上させる。
【考案の効果】
【０００７】
本考案により、散熱面積と効率を拡大し、ランプ全体の外観に影響させず、製造コストを減少させることができる。
【考案を実施するための最良の形態】
【０００８】
図１〜図４を参照すると、本考案の好ましい実施例は、ランプの殻体１０が導熱構造体１１を設置し、ランプの発光素子２０は導熱構造体１１の導熱ベース１１１上に固設され、更に、反光マスク１６を設置する。発光素子２０の熱量は導熱構造体１に接触することにより熱量を伝導し、ランプの殻体１０は大面積の散熱功能を有し、且つ、殻体１０内、外は発光素子２０の電力の大きさにより、多層カバー５０を増加して各種規格のランプ造型と結合する。多層カバー５０表面は少なくとも一つの散熱槽１５と連接部１２を有し、散熱槽１５は熱伝導対流原則に符合して設置され、効果的な熱対流散熱を提供し、熱量は多層カバー５０表面積から、空気対流により、大量の熱エネルギーを対流伝導し、散熱効率を増加させる。多層カバー５０は一般の散熱材質から製造されるか、或いは、アルミ薄片で、多層カバー５０の各種規格ランプへの応用を可能にし、特に、道路照明、商業照明、室内照明、及び、景観照明等、各種照明設備に適用し、ランプの効率を向上させ、発光素子を保護する効果を達成し、公知の散熱鰭片のランプ外観の変化やランプ設計における制限を改善し、コストを減少させ、使用寿命を増加し、産業競争力を強化する。また、ランプ殻体１０、或いは、多層カバー５０は少なくとも一つの連接部１２を設置し、連接部１２は螺孔１３を設置し、散熱材質、或いは、アルミ薄片がねじ１４により多層を鎖固し、もう一層のカバー５０はランプ殻体１０に固定され、且つ、カバー５０とランプ殻体１０間にギャップを有し、空気の自然対流ができる。また、ランプ殻体１０、或いは、多層カバー５０は少なくとも一つの散熱槽１５を設置し、空気の自然対流が容易で、散熱効果を改善する。
【０００９】
図５を参照すると、本考案の多層カバー５０と円筒状ランプ１００の結合は、多層カバー５０は円筒状の一般の散熱材質、或いは、アルミ薄片で、ランプ外殻１１０表面、或いは、多層カバー５０は少なくとも一つの連接部１２を有し、連接部１２は螺孔を設置し、多層カバー５０はねじ１４を利用し、同心円により発光素子２０とランプ外殻１１０の間に鎖固し、散熱面積を拡大し、ランプ外観に影響せずに、散熱器の費用を節約し、ランプのコストを減少させる。
【００１０】
図６を参照すると、本考案の多層カバー５０と円錐状ランプ２００の結合は、多層カバー５０は円筒状の一般の散熱材質、或いは、アルミ薄片で、円錐状ランプ２００の外形を形成し、ランプ外殻１１０表面、或いは、多層カバー５０は少なくとも一つの連接部１２を有し、連接部１２は螺孔を設置し、多層カバー５０はねじ１４によりランプ外殻１１０に鎖固し、カバー５０と円錐状ランプ２００間は空気自然対流のギャップを有し、カバー５０は元のランプ外観に影響せず、或いは、新設計構造は散熱器を加設することを考慮しなくてもよく、多層カバー５０はアルミ薄片で作成し、面積の大小を延伸して散熱効果を増加させる。
【００１１】
公知のランプ構造と本考案のランプ構造との比較は以下のようである。
公知のランプ構造の欠点
１．  
公知のランプ外形上、鰭片状の外形に設計し、造型美観を損なう。
２．  
公知の鰭状片散熱ランプは鳥が巣を作ったり、ホコリが堆積し、散熱効果が大幅に低下する。
３．  
公知の鰭状片散熱片は隙間に空気が積集し、対流が容易でなく、抵抗を増加し、散熱効率を低下させる。
４．  
ランプ構造上に鰭状片を加設するのは消費者にコストを負担させる。
５．  
一般の鰭状片散熱器は、製造工程でアルミ二ウム押し出し、或いは、打ち抜き製造を採用し、鰭片の尺寸厚さは固有の形態があり、各種造型のランプに適用できない。
本考案のランプ構造の長所
１．   本考案の多層式ランプ構造は、多層カバーを増加して各種規格のランプ造型と結合し、熱量は多層カバー表面積から空気対流により伝導し、散熱効率を増加させる。
２．  
本考案の多層式ランプ構造は、元のランプ外観に影響せず、或いは、新設計の構造は散熱器の加設を考慮しなくてもよく、ランプ美観が増加する。
３．  
本考案の多層式ランプ構造は、材料が容易に入手でき、コストが低く、ランプの使用寿命が延長し、産業競争力を強化する。
【図面の簡単な説明】
【００１２】
【図１】本考案の多層式ランプ構造の好ましい実施例外観図である。
【図２】本考案の多層式ランプ構造の好ましい実施例分解図である。
【図３】本考案の多層式ランプ構造の好ましい実施例組み合わせ図である。
【図４】本考案の多層式ランプ構造の好ましい実施例断面図である。
【図５】本考案の多層式ランプ構造のもう一つの好ましい実施例の断面図である。
【図６】本考案の多層式ランプ構造の更にもう一つの好ましい実施例の断面図である。
【符号の説明】
【００１３】
１０  殻体
１１  導熱構造体
１２  連接部
１３  螺孔
１４  ねじ
１５  散熱槽
１６  反光マスク
２０  発光素子
５０  カバー
１００  園筒状ランプ
１１１  導熱ベース
１１０  ランプ外殻
２００  円錐状ランプ
【図１】
0003133852.tif 000003
【図２】
0003133852.tif 000004
【図３】
0003133852.tif 000005
【図４】
0003133852.tif 000006
【図５】
0003133852.tif 000007
【図６】
0003133852.tif 000008